(57)【要約】【課題】ろ過器により外気から分離され、塵埃排出口に蓄積され勝ちな塵埃を、機内に取り込むこと無く、主電動機内部の機器の清浄な状態を保ち、メンテナンスを省力化させ、またオーバーホールの期間を短縮させないことが可能である。【解決手段】車両の台車に設置されている主電動機のろ過器に設けられた塵埃排出口から冷却ファン近傍に至る塵埃排出経路により、塵埃が冷却ファンの排気風と共に機外へ自動的に排出される。そのため、塵埃が蓄積されず機内に入ることも無くなる。これにより主電動機を常に良好な条件で運転することができ、メンテナンス性に優れ、実用上の有用性が高いものである。【選択図】図１
2007049818.tif 000002
【特許請求の範囲】
【請求項１】
車両の台車内に据え付けられている主電動機において、冷却風に含まれる塵埃を冷却風から分離可能であるろ過器を持つ主電動機であって、
ろ過器で分離された塵埃は、固定子枠外に設けられ、冷却ファン側板の近傍に至る塵埃排出経路を通り、冷却ファンにより、排気風と同時に自動的に排出されることを特徴とする車両主電動機。
【請求項２】
請求項１において、ろ過器に設けられた排出口から冷却ファンの近傍に設けられた第２の排出口に至るダクトを設け、冷却ファン側板の外径を下げ固体子の内径との間に隙間を設け、該隙間の近傍にリング状の仕切りを設けることで構成される塵埃排出経路を有することを特徴とする車両主電動機
【請求項３】
請求項１において、ろ過器に設けられた排出口から冷却ファンの近傍に設けられた第２の排出口に至るダクトを設け、冷却ファン側板のファンベーン間に１個ずつ小穴を設け、該小穴の近傍にリング状の仕切りを設けることで構成される塵埃排出経路を有することを特徴とする車両主電動機
【発明の詳細な説明】
【技術分野】
【０００１】
本発明は車両用主電動機に係わり、特に、ろ過器により分離された塵埃の排出方式おいて特徴を有する車両用主電動機に関するものである。
【背景技術】
【０００２】
車両用主電動機は、環境条件の悪い車両台車部に設置されており、環境条件を問わず車両の走行中、外気を取り入れて機内の機器である回転子や固定子を冷却している。
【０００３】
この状態は図３に示される。
図３はその従来の一例を示す説明図であり、１は主電動機軸、２は主電動機軸１に取り付けられた冷却ファン、３は固定子枠、４は外気取入れ口、５は排気口、６は回転子、７は固定子、８はろ過器、９は塵埃排出口、１０は入気口である。
【０００４】
図３において、車両の走行中、主電動は常に駆動しており、常に冷却ファン２によって外気取入れ口４から外気を取り入れる。次に、取り入れられた外気から、ろ過器８において塵埃を取り除き、清浄な状態となった冷却風は、回転子６や固定子７を冷却するため、入気口１０から機内に入り、塵埃は塵埃排出口９から機外へ排出される。
【特許文献１】特開２００４−１９４４４７号公報
【発明の開示】
【発明が解決しようとする課題】
【０００５】
しかしながら、このような手段では、次のような課題があった。
通常良好な状態では、ろ過器により外気から分離された塵埃は塵埃排出口から排出され問題無いが、塵埃の量や、長期間の運転により、次第に塵埃が排出口付近に蓄積されることが生じて、排出口の定期的な清掃が必要になる。また清掃を怠った時は、ろ過器の塵埃分離機能が低下し、機内へ冷却風に混じって塵埃が侵入し、機内を汚す場合があった。
【０００６】
これを解消するためには、ろ過器に分離された塵埃が蓄積されること無く自動的に排出させる機構を設けることが有効である。
【０００７】
本発明は、上述した点に鑑みて創案されたもので、その目的とするところは、主電動機機内への冷却風を清浄に保ち、且つ、塵埃を分離させるろ過器の清掃作業を省き、常に良好な条件で運転できる車両用主電動機を提供することにある。
【課題を解決するための手段】
【０００８】
つまり、その目的を達成するための手段は、請求項１によれば、車両の台車内に据え付けられている主電動機において、しかも冷却風に含まれる塵埃を冷却風から分離可能であるろ過器を持つ主電動機において説明すると、ろ過器で分離された塵埃は、固定子枠外に設けられ、冷却ファン側板の近傍に至る塵埃排出経路を通り、冷却ファンにより、排気風と同時に自動的に排出されることが特徴とである。
【０００９】
さらに、請求項２によれば、請求項１で設けられた塵埃排出経路において、ろ過器に設けられた排出口から冷却ファンの近傍に設けられた第２の排出口に至るダクトを設け、冷却ファン側板の外径を下げ固体子の内径との間に隙間を設け、該隙間の近傍にリング状の仕切りを設けることで構成された塵埃排出経路を有することが特徴である。
【００１０】
さらに、請求項３によれば、請求項１で設けられた塵埃排出経路において、ろ過器に設けられた排出口から冷却ファンの近傍に設けられた第２の排出口に至るダクトを設け、冷却ファン側板のファンベーン間に１個ずつ小穴を設け、該小穴の近傍にリング状の仕切りを設けることで構成される塵埃排出経路を有することが特徴である。
【発明の効果】
【００１１】
本発明では、ろ過器で分離された塵埃は機外へ自動的に排出することができるため、メンテナス性に優れた主電動機を提供でき、実用上極めて有用性の高いものである。
【発明を実施するための最良の形態】
【００１２】
図１は本発明の一実施例を示す説明図である。図２は本発明の別の一実施例を示す説明図である。
図１、図２において１１はダクト、１２は第２の排出口、１３は仕切り、１４は第３の排出口、１４’は小穴、１５は冷却ファンの側版である。
なお、図１、図２において同符号のものは、同じ構成、機能を有する部分である。
【００１３】
図１において、鉄道車両の台車に据え付けられている主電動機に取り付けられているろ過器において、塵埃は冷却風から分離され、分離された塵埃は、ファン２の吸引力により塵埃排出口９からダクト１１に入り、第２の排出口１２から仕切り１３で機内と仕切られた部分に入り、冷却ファンの側板１５の外径を下げることによって構成された第３の排出口１４から排気口５へ入り排気風と同時に機外に排出される。
【００１４】
図２において、鉄道車両の台車に据え付けられている主電動機に取り付けられているろ過器において、塵埃は冷却風から分離され、分離された塵埃は、ファン２の吸引力により塵埃排出口９からダクト１１に入り、第２の排出口１２から仕切り１３で機内と仕切られた部分に入り、冷却ファンの側板１５のファンベーン間に１個ずつ設けられた小穴１４’から排気口５へ入り排気風と同時に機外に排出される。
【００１５】
以上のごとく構成された主電動機において、ろ過器により冷却風から塵埃が分離され、分離された塵埃は、ろ過器の清掃が不要となることで、メンテナンス軽減に寄与することが、また、機内を清浄な状態に保つことができるので、主電動機を常に良好な条件で運転することができる。
【図面の簡単な説明】
【００１６】
【図１】本発明の実施例を示す説明図である。
【図２】本発明の別の実施例を示す説明図である。
【図３】従来の一例を示す説明図である。
【符号の説明】
【００１７】
１    主電動機
２    冷却ファン
３    固定子枠
４    外気取入れ口
５    排気口
６    回転子
７    固定子
８    ろ過器
９    塵埃排出口
１０    入気口
１１    ダクト  
１２    第２の排出口
１３    仕切り
１４    第３の排出口
１４’  
小穴
１５    冷却ファン側版
【図１】
2007049818.tif 000003
【図２】
2007049818.tif 000004
【図３】
2007049818.tif 000005